(57)【要約】スクリーン（２０）上に示されているグラフィックスは、ユーザが項目を変更することができるような、メニューを規定する。これらのグラフィックスは、マトリックスブロック内に配置されるので、ナビゲーションパッド（１５）上の、ただ１つのキーを押すことによって、複数の中からこれらの１つを選択することができる。携帯電話への応用である。
2005521132.tif 000002
【特許請求の範囲】
【請求項１】
‐複数のグラフィックスを表示するスクリーン、及び
‐前記グラフィックスの場所を、制御手段の制御によって変更するスクロール手段、
を有する電子装置であって、前記グラフィックスがメインレベルのマトリックスブロック内に配置され、ただ１つの命令によって、これらグラフィックスの１つを選択することができるような電子装置。
【請求項２】
前記複数のグラフィックスが、前記装置の種々の選択肢を表すような少なくとも１つの第１タイプのグラフィックスを有することを特徴とする、請求項１に記載の電子装置。
【請求項３】
前記複数のグラフィックスが、２次レベルのブロック内に配置されているグラフィックスを表すような少なくとも１つの第２タイプのグラフィックスを有することを特徴とする、請求項１又は２に記載の電子装置。
【請求項４】
前記第１タイプのグラフィックスが、パラメータ値に対応する領域を有することを特徴とする、請求項１又は２に記載の電子装置。
【請求項５】
前記ブロックが、第１面上に遠近法によって示されると同時に、前記第１タイプの前記グラフィックスが、他の面に示されることを特徴とする、請求項１ないし４の何れか一項に記載の電子装置。
【請求項６】
前記ブロックが、第１面上に遠近法によって示されると同時に、前記第２タイプのグラフィックスが、前記第１面に対して平行であるブロック内に配置されていることを特徴とする、請求項１ないし４の何れか一項に記載の電子装置。
【請求項７】
前記第１タイプのグラフィックスが、薄片の柱を形成している薄片の積層の様態であり、これらの外観は、これらが表すパラメータに対して与えられる値によって変わることを特徴とする、請求項１ないし６の何れか一項に記載の電子装置。
【請求項８】
前記スクリーン上に表示された前記グラフィックスに関係しているテキスト領域が設けられることを特徴とする、請求項１ないし７の何れか一項に記載の電子装置。
【請求項９】
請求項１ないし６の何れか一項に記載の、スクリーンを具備する装置において使用されるグラフィックスを表示する方法であって、該方法が
‐  メインレベルのマトリックスブロック内にグラフィックスを配列するステップ、
‐  ２つ以上の前記グラフィックスから１つを選択するために制御キーを割り当てるステップ、
‐  活性化された第１タイプのグラフィックスのために、グラフィックス領域を活性化するステップ、及び
‐  活性化された第２タイプのグラフィックスのために、グラフィックスのブロックを展開させるステップ、
を有することを特徴とする方法。
【発明の詳細な説明】
【技術分野】
【０００１】
本発明は、
‐  複数のグラフィックスを表示するスクリーン、及び
‐  前記グラフィックスの場所を制御手段の制御によって変更するスクロール手段、
を有する電子装置に関する。
【０００２】
本発明は、特に、ユーザによる装置の構成を意図する標題のメニューを示すようなグラフィックスを表示する方法にも関する。
【背景技術】
【０００３】
このような装置は、よく知られており、多くの用途、特に、携帯電話の分野における多くの用途がある。この点については、欧州特許出願第ＥＰ  ０９４４  ２１８号明細書（カルーセル）を参照することができる。
【発明の開示】
【発明が解決しようとする課題】
【０００４】
前記装置は、完全な満足を与えるものであるが、メニュー内の標題に到達するためには、数回のボタンの押し下げを必要とする。
【０００５】
本発明は、緒言で述べたタイプの装置であって、グラフィックスの体系と、変更命令において、より少ないボタンの押し下げしか必要としないと同時にユーザにとっての快適な外観を獲得するグラフィックスを変更する手段とが設けられるような装置を提案する。
【課題を解決するための手段】
【０００６】
この目的のために、このような装置は、グラフィックスがメインレベルのマトリックスブロック内に配置され、ただ１つの命令によって、これらグラフィックスの１つを選択することができることを特徴とする。
【０００７】
本発明によって提案される方法は、
‐  グラフィックスをメインレベルのマトリックスブロック内に配置するステップ、
‐  ２つ以上のグラフィックスから１つを選択するために制御キーを割り当てるステップ、
‐  第１タイプの活性化されたグラフィックスのために、グラフィック領域を活性化させるステップ、及び
‐  第２タイプの活性化されたグラフィックスのために、グラフィックスのブロックを展開するステップ、
を有することを特徴とする。
【０００８】
本発明の着想は、メニューの標題を表している種々のグラフィックスを、しきつめられた領域（マトリックス）内に配置することにより、一方のボックスから、他方のボックスへと簡単に通過することができるようになるというものである。
【０００９】
本発明は、図面に示した実施例の例を参照して更に記載されるが、これによって本発明が限定されるというわけではない。
【発明を実施するための最良の形態】
【００１０】
図１は、本発明による電子装置を図示している。記載された例示的状況においては、これは、携帯電話ネットワークに接続されることができるような、携帯電話装置である。これは、種々の構成要素が配置されているケーシング１によって構成されている。これらの構成要素内には、キーパッド１２、種々の接触子Ｋ１、Ｋ２、Ｋ３、…、Ｋ８及びＫ１０を有するナビゲーションパッド１５、スクリーン２０、マイクロフォン２２、スピーカー２４並びにアンテナ２６がある。スクリーン２０上で、種々のグラフィックスが示され、符号Ａ、Ｂ、Ｃ、Ｄ、Ｅ、Ｆ、Ｇ、Ｈ及びＩが付されている。
【００１１】
図２は、当該装置がどのように生成されるかを示している。前の図におけるものと共通の構成要素は、同一符号を有している。アンテナ２６によって受信又は送信された高周波信号は、送信／受信アセンブリ４０によって処理される。このアセンブリ４０の機能は、共通ラインＢＵＳＡＤを介して伝達される制御信号によって支配され、該信号はマイクロプロセッサアセンブリ４２によって発生される。このアセンブリ４２は、メモリアセンブリ４５を使用し、該メモリアセンブリ４５内に、自身の機能を規定する命令が記録される。このアセンブリ内には、これらの命令の使用に必要であるランダムアクセスメモリの場所が含まれている。本発明によって使用される前記命令は、言うまでもなく、このアセンブリ４５内に含まれている。従って、ナビゲーションパッド１５、及び必要であればキーパッド１２を操作することにより、スクリーン２０上に表示されたメニューの外観を変化させることが可能である。
【００１２】
本発明によれば、グラフィックスＡ、Ｂ、Ｃ、Ｄ、Ｅ、Ｆ、Ｇ、Ｈ及びＩは、所謂メインレベルの面Ｐ１上に配置されたマトリックスブロック内に配置されている。これは、遠近的に見られる。ただ１つの命令によって、これらグラフィックスの１つを選択することができる。当該ブロックによって表されて前記メニューが現れたとき、ナビゲーションキーの１つを操作することによって、該メニュー内の項目の１つを選択する。従って、キーＫ１を押すことは、グラフィックスＤを利用可能にし、キーＫ２を押すことはグラフィックスＡを、キーＫ３を押すことはグラフィックスＢを、キーＫ４を押すことはグラフィックスＣを、キーＫ５を押すことはグラフィックスＥを、Ｋ６を押すことはグラフィックスＩを、キーＫ７を押すことはグラフィックスＨを、最後に、キーＫ８を押すことはグラフィックスＧを利用可能にする。
【００１３】
ひとたび、前記グラフィックスの１つが選択されたら、これはパラメータ値についての選択を示す。図１において、グラフィックスＢによって表されているパラメータがとり得る値の数は２であり、このことは柱状に積層された２つの薄片Ｔ１及びＴ２によって示されている。このタイプのグラフィックスを、第１タイプと呼ぶ。
【００１４】
図３は、ユーザが、本発明によって推奨される方法を使用することにより、どのように自分の装置を構成することができるかを、より詳細に示している。図３の「ａ」において、網掛けされたグラフィックスは、上述のようにして選択された１つである。「ｂ」においては、ナビゲーションパッド１５の中央におけるキーＫ１０を押すことによって、前記柱が２つの薄片Ｔ１及びＴ２を表示しながら現れている。パッド１５のキーの１つを押すことによって、ユーザは、薄片Ｔ１によって表されているパラメータの値を変更することができる。この薄片Ｔ１は、「ｃ」において網掛けされて示されている。同様の方法で、ユーザは、薄片Ｔ２によって表されているパラメータの値を変更することができる。これは、「ｄ」において白色に変わる。スクリーンがカラー表示をできる場合、どのような色の変化も本発明の範囲内にあることは言うまでもない。キーＫ１０を押すことによって、柱が消去され（「ｅ」参照）、「ａ」で示されている状態に戻る。前記グラフィックスは、グラフィックスＨについての場合にそうであるように第２タイプでもあり得る。
【００１５】
図４を参照して、「ａ」においては、グラフィックスＨが選択されている。このグラフィックスに関係する柱は、「ｂ」において示されているが、パラメータに関係する薄片を与える代わりに、該柱は、「ｃ」においては、遠近法で見られる他の面Ｐ２上に位置されている他のブロックを示す。面Ｐ１は、面Ｐ２のみを暴露するために消去され、該面Ｐ２上には、「ｄ」において、グラフィックスＨ以外に、グラフィックスＪ、Ｋ、Ｌ、Ｍ及びＮが配置されている。次いで、この面Ｐ２から、他のグラフィックス、例えばＫ（「ｅ」参照）を選択することができる。
【００１６】
種々のブロックＰＶ１、ＰＶ２、ＰＶ３を同一面上に並置することができるのは言うまでもない。スクリーン２０によって、これらのブロックの幾つかだけが見えるようになる。これは、図５に示されていることである。「ａ」において、第１ブロックＰＶ１が面Ｐ１上に配置されて示されている。スクリーン２０上に表示されている矢印Ｆ１は、ユーザが、他のブロックと連続しているグラフィックスを選択した場合に、他のグラフィックスも利用可能であることをユーザに知らせるものである。ナビゲーションパッド１５のキーを押すことによって、前記ブロックは矢印Ｆ１によって示されている方向と反対の方向に動く。これは、「ｂ」及び「ｃ」において示されている。２つの他のブロックＰＶ２及びＰＶ３も稼動中であると見なされることができる。ブロックＰＶ２に属するグラフィックスＮの選択の後、これは、単独でスクリーン２０上に示される。第２矢印Ｆ２は、他のブロックが左側について利用可能であること、矢印Ｆ１は、他のブロックが右側についてまだ使用可能であることを示している。
【００１７】
図６は、スクリーン２０上の表示内に挿入されているテキスト領域ＴＸＴを示している。このテキストは、表示されているグラフィックスについての注釈を供給する。これにより、ユーザはグラフィックスの意味上の不明瞭性を回避することができるようになる。
【図面の簡単な説明】
【００１８】
【図１】図１は、本発明による装置を示している。
【図２】図２は、この装置の電気的略図を示している。
【図３】図３は、所謂第１タイプのグラフィックスの振る舞いを示している。
【図４】図４は、所謂第２タイプのグラフィックスの振る舞いを示している。
【図５】図５は、可視寸法がスクリーンのサイズよりも大きいような、ブロック組の実施例を示している。
【図６】図６は、テキスト領域が組み込まれたスクリーンを示している。
【図１】
2005521132.tif 000003
【図２】
2005521132.tif 000004
【図３ａ】
2005521132.tif 000005
【図３ｂ】
2005521132.tif 000006
【図３ｃ】
2005521132.tif 000007
【図３ｄ】
2005521132.tif 000008
【図３ｅ】
2005521132.tif 000009
【図４ａ】
2005521132.tif 000010
【図４ｂ】
2005521132.tif 000011
【図４ｃ】
2005521132.tif 000012
【図４ｄ】
2005521132.tif 000013
【図４ｅ】
2005521132.tif 000014
【図５ａ】
2005521132.tif 000015
【図５ｂ】
2005521132.tif 000016
【図５ｃ】
2005521132.tif 000017
【図５ｄ】
2005521132.tif 000018
【図６】
2005521132.tif 000019
【国際調査報告】
2005521132.tif 000020
2005521132.tif 000021